(57)【要約】【課題】  データ放送受信機に接続された外部機器に制御データを送出する技術を提供すること。【解決手段】プログラム１２は、外部機器３を制御する為の制御データ１３と、この制御データを外部機器３に送出する為の関数１４とを少なくとも含む。関数１４は、データ放送受信機２に、受信した制御データ１３を外部機器に送出させる関数である。記憶部２３には、外部機器３を特定するアドレスが記憶される。制御部２２は、受信部２１が受信したプログラム１２の関数１４に基づいて、記憶部２３に記憶されている外部機器３のアドレスに対して制御データ１３を送出する。外部機器３は、データ放送受信機２から制御データ１３により動作部３３を制御し、所定の動作をさせる。【選択図】図１
2007006352.tif 000002
【特許請求の範囲】
【請求項１】
データ放送を利用した外部機器の制御システムであって、
データ放送を送信する放送局と、前記データ放送を受信するデータ放送受信機と、前記データ放送受信機と接続された外部機器とを有し、
前記放送局は、前記外部機器の制御データと、前記制御データを所定のアドレスを持つ前記外部機器に送出する為のコンテンツとをデータ放送を用いて送信する手段を有し、
前記データ放送受信機は、前記外部機器のアドレスが格納された記憶手段と、受信したデータ放送の前記コンテンツに基づいて、記憶されているアドレスに対応する外部機器に制御データを送信する手段とを有し、
前記外部機器は、前記制御データに基づいて動作する手段を有する
ことを特徴とするデータ放送を利用した外部機器の制御システム。
【請求項２】
前記コンテンツは、前記外部機器に制御データを送出する関数であることを特徴とする請求項１に記載のデータ放送を利用した外部機器の制御システム。
【請求項３】
前記コンテンツは、前記外部機器に制御データを送出するタグであることを特徴とする請求項１に記載のデータ放送を利用した外部機器の制御システム。
【請求項４】
前記制御データは、データ放送受信機で取得された基準時刻を外部機器に送出する命令と、前記基準時刻からの相対時刻及びこの相対時刻における前記外部機器の動作制御データとから成り、
前記外部機器は、前記データ放送受信機から送出された基準時刻に内部時計の時刻を一致させ、前記基準時刻に一致した内部時計の時刻からのカウント時刻が前記制御データに記載された相対時刻になると、その時刻に対応する動作制御データに基づいて動作することを特徴とする請求項１から請求項３のいずれかに記載のデータ放送を利用した外部機器の制御システム。
【請求項５】
前記制御データが、番組の内容と外部機器の動作とを同期させるデータであることを特徴とする請求項１から請求項４のいずれかに記載のデータ放送を利用した外部機器の制御システム。
【請求項６】
前記データ放送受信機は、一定時間ごとに前記外部機器に対して、前記制御データに関連する番組を受信していることを示す確認信号を送出する手段を有し、
前記外部機器は、前記確認信号が一定時間検出されなくなると、前記制御データに基づく動作を中止する手段
を有することを特徴とする請求項１から請求項５のいずれかに記載のデータ放送を利用した外部機器の制御システム。
【請求項７】
前記外部機器は、一定時間ごとにデータ放送受信機に対して、制御データに基づく動作の継続を示す動作継続信号を送出する手段と、前記動作継続信号に対する応答信号が検出されなくなると、前記制御データに基づく動作を中止する手段とを有し、
前記データ放送受信機は、前記制御データに関連する番組を受信している場合には、前記動作継続信号に対する応答信号を前記外部機器に送出する手段を有することを特徴とする請求項１から請求項５のいずれかに記載のデータ放送を利用した外部機器の制御システム。
【請求項８】
前記データ放送受信機は、番組の変更が行われると、動作の中止を要求する動作中止信号を前記外部機器に送出する手段と、
前記外部機器は、前記動作中止信号を受信すると、前記制御データに基づく動作を中止する手段
を有することを特徴とする請求項１から請求項５のいずれかに記載のデータ放送を利用した外部機器の制御システム。
【請求項９】
前記外部機器は、香り発生装置であることを特徴とする請求項１から請求項８のいずれかに記載のデータ放送を利用した外部機器の制御システム。
【請求項１０】
データ放送を受信するデータ放送受信機と接続された外部機器を制御する制御データを送信する放送局であって、
外部機器の制御データと、前記制御データを所定のアドレスを持つ前記外部機器に送出する為のコンテンツとを、データ放送を用いて送信する手段を有することを特徴とする放送局。
【請求項１１】
前記コンテンツは、前記外部機器に制御データを送出する関数であることを特徴とする請求項１０に記載の放送局。
【請求項１２】
前記コンテンツは、前記外部機器に制御データを送出するタグであることを特徴とする請求項１０に記載の放送局。
【請求項１３】
前記制御データは、データ放送受信機で基準時刻を取得させ、この取得した基準時刻を外部機器に送出する命令と、前記基準時刻からの相対時刻及びこの相対時刻における前記外部機器の動作制御データとから成ることを特徴とする請求項１０から請求項１２のいずれかに記載の放送局。
【請求項１４】
前記制御データが、番組の内容と外部機器の動作とを同期させるデータであることを特徴とする請求項１０から請求項１３のいずれかに記載の放送局。
【請求項１５】
データ放送を利用してデータ放送受信機に送出され、前記データ放送受信機と接続された外部機器を制御するプログラムであって、
前記プログラムは、前記データ放送受信機に、前記データ放送受信機が記憶している外部機器のアドレスを読み出し、このアドレスに対して、データ放送で受信した前記外部機器の制御データを送出する処理を実行させることを特徴とするプログラム。
【請求項１６】
前記制御データは、データ放送受信機で基準時刻を取得させ、この取得した基準時刻を外部機器に送出する命令と、前記基準時刻からの相対時刻及びこの相対時刻における前記外部機器の動作制御データとを含むことを特徴とする請求項１５に記載のプログラム。
【請求項１７】
前記プログラムは、前記データ放送受信機に、一定時間ごとに前記外部機器に対して、前記制御データに関連する番組を受信していることを示す確認信号を送出する処理を実行させることを特徴とする請求項１５又は請求項１６に記載のプログラム。
【請求項１８】
前記プログラムは、前記データ放送受信機に、一定時間ごとに外部機器から送信されてくる制御動作継続信号に対して、前記制御データに関連する番組を受信している場合には、応答信号を前記外部機器に送出する処理を実行させることを特徴とする請求項１５又は請求項１６に記載のプログラム。
【請求項１９】
前記プログラムは、前記データ放送受信機に、番組の変更が行われると、動作の中止を要求する動作中止信号を前記外部機器に送出する処理を実行させることを特徴とする請求項１５又は請求項１６に記載のプログラム。
【請求項２０】
データ放送のデータ放送受信機であって、
接続されている外部機器のアドレスが格納される記憶手段と、
前記外部機器の制御データと、前記制御データを所定のアドレスを持つ前記外部機器に送出する為のコンテンツとを含むデータ放送を受信する手段と、
受信したデータ放送の前記コンテンツに基づいて、記憶されているアドレスに対応する外部機器に前記制御データを送信する手段と
を有することを特徴とするデータ放送受信機。
【請求項２１】
前記コンテンツは、前記外部機器に制御データを送出する関数であることを特徴とする請求項２０に記載のデータ放送受信機。
【請求項２２】
前記コンテンツは、前記外部機器に制御データを送出するタグであることを特徴とする請求項２０に記載のデータ放送受信機。
【請求項２３】
一定時間ごとに前記外部機器に対して、前記制御データに関連する番組を受信していることを示す確認信号を送出する手段を有することを特徴とする請求項２０から請求項２２のいずれかに記載のデータ放送受信機。
【請求項２４】
一定時間ごとに外部機器から送信されてくる制御動作継続信号に対して、前記制御データに関連する番組を受信している場合には、応答信号を送出する手段を有することを特徴とする請求項２０から請求項２２のいずれかに記載のデータ放送受信機。
【請求項２５】
番組の変更が行われると、動作の中止を要求する動作中止信号を前記外部機器に送出する手段を有することを特徴とする請求項２０から請求項２２のいずれかに記載のデータ放送受信機。
【請求項２６】
データ放送受信機に接続される外部機器であって、
データ放送受信機より、基準時刻と、前記基準時刻からの相対時刻及びこの相対時刻における前記外部機器の制御データとを受信する手段と、
前記基準時刻に内部時計の時刻を一致させ、基準時刻に一致した内部時計の時刻からのカウント時刻が前記制御データに記載された相対時刻になると、その時刻に対応する動作制御データに基づいて動作する手段と
を有することを特徴とする外部機器。
【請求項２７】
データ放送受信機から送出される、前記制御データに関連する番組を受信していることを示す確認信号を検出する手段と、
前記確認信号が一定時間検出されない場合、前記制御データに基づく動作を中止する手段と
を有することを特徴とする請求項２６に記載の外部機器。
【請求項２８】
一定時間ごとにデータ放送受信機に対して制御データに基づく動作の継続を示す動作継続信号を送出する手段と、
前記動作継続信号に対するデータ放送受信機からの応答信号が検出されなくなると、前記制御データに基づく動作を中止する手段と
を有することを特徴とする請求項２６に記載の外部機器。
【請求項２９】
前記データ放送受信機からの動作の中止を要求する動作中止信号を受信し、前記制御データに基づく動作を中止する手段を有することを特徴とする請求項２６に記載の外部機器。
【請求項３０】
前記外部機器が、香り発生装置であることを特徴とする請求項２６０から請求項２９のいずれかに記載の外部機器。
【請求項３１】
データ放送を利用した外部機器の制御方法であって、
放送局から、データ放送受信機に接続されている外部機器の制御データと、前記制御データを前記外部機器のアドレスに送出する為のコンテンツとをデータ放送を用いて送信し、
データ放送受信機は、受信したデータ放送の前記関数に基づいて、記憶されているアドレスに対応する外部機器に制御データを送信し、
外部機器は、前記制御データに基づいて動作する
ことを特徴とするデータ放送を利用した外部機器の制御方法。
【請求項３２】
前記コンテンツは、前記外部機器に制御データを送出する関数であることを特徴とする請求項３１に記載のデータ放送を利用した外部機器の制御方法。
【請求項３３】
前記コンテンツは、前記外部機器に制御データを送出するタグであることを特徴とする請求項３１に記載のデータ放送を利用した外部機器の制御方法。
【請求項３４】
前記制御データは、データ放送受信機で取得された基準時刻を外部機器に送出する命令と、前記基準時刻からの相対時刻及びこの相対時刻における前記外部機器の動作制御データとから成り、
前記外部機器は、前記データ放送受信機から送出された基準時刻に内部時計の時刻を一致させ、前記基準時刻に一致した内部時計の時刻からのカウント時刻が前記制御データに記載された相対時刻になると、その時刻に対応する動作制御データに基づいて動作することを特徴とする請求項３１から請求項３３のいずれかに記載のデータ放送を利用した外部機器の制御方法。
【請求項３５】
データ放送を利用した外部機器の制御システムであって、
データ放送を送信する放送局と、前記データ放送を受信するデータ放送受信機と、前記データ放送受信機と接続された外部機器とを有し、
前記放送局は、前記外部機器の制御データが記載されたイベントメッセージと、前記制御データを所定のアドレスを持つ前記外部機器に送出する為の関数とをデータ放送を用いて送信する手段を有し、
前記データ放送受信機は、前記外部機器のアドレスが格納された記憶手段と、イベントメッセージを受信すると、前記イベントメッセージに記載された制御データを、受信したデータ放送の前記関数に基づいて、記憶されているアドレスに対応する外部機器に送信する手段とを有し、
前記外部機器は、前記制御データに基づいて動作する手段を有する
ことを特徴とするデータ放送を利用した外部機器の制御システム。
【発明の詳細な説明】
【技術分野】
【０００１】
本発明はデータ放送を利用した外部機器の制御システムに関し、特に、データ放送を利用し、データ放送受信機に接続された外部機器を制御する制御データを送出する技術と、その制御データを用いて放送番組と外部機器とを連動させる技術に関する。
【背景技術】
【０００２】
従来、放送局は様々なテレビ番組をテレビ電波として送信しており、視聴者は放送局から送られてくるテレビ電波を受信し、テレビ受像機に映し出された種々の画像を見てテレビ番組を楽しんでいる。しかし、従来のテレビ放送では、視聴者はテレビ受像機に映し出される画像を単に視聴するだけであり、現実感に乏しかった。
【０００３】
一方、データ放送の開始に伴い、画像や音のデータのみならず、他のデータも視聴者に放送することが可能となった。
【０００４】
そこで、データ放送を用いて、受信したデータを基に動作端末を制御し、人間の五感の少なくとも１つに作用する動作を動作端末に行わせるようにし、動作端末と番組とを連動させたりして、単なる番組視聴のみならず、番組と一体感を持たせるようにした発明が提案されている（例えば、特許文献１）。
【０００５】
特許文献１に記載された発明では、視聴者は、データ放送用データおよびテレビ信号を放送センターから受信し、テレビ受像機によってテレビ番組画像を見る。一方、視聴者がセットトップボックスを操作してセットトップボックス内の入力手段に情報を入力した場合には、セットトップボックス内の制御手段は、この入力情報を動作端末の制御データとして取り込む。制御手段は、放送センターから受信した動作端末制御データおよび入力手段から入力した動作端末制御データに基づき、動作端末の動作を制御する。この制御により、動作端末は、受信したデジタルテレビ放送のデータに加え、視聴者から入力した情報を基に、放送番組の内容に連動する動作をする。
【０００６】
【特許文献１】特開２００２−１１８８２８号公報
【発明の開示】
【発明が解決しようとする課題】
【０００７】
しかしながら、特許文献１に記載された発明は、データ放送を用いて送信したデータをセットトップボックスより、どのようにして動作端末に送出するのか、その具体的な構成が記載されておらず、実際に実施することはできなかった。特に、セットトップボックスは汎用性が求められ、特別の機能を付加することは難しい。
【０００８】
また、特許文献１に記載された発明は、どのようにして番組内容と連動させて動作端末を動作させるのか具体的に記載されていない。
【０００９】
更に、放送は不特定多数の者に対してデータを同報送信するものであり、各受信機がならずしも同一の条件で受信できるとは限らない。例えば、各受信機に設定されている内部時計の時刻などは、ずれている場合も多く、このような状況下において、秒単位のスケジュールで放送される番組に連動させて動作端末を動作させるような技術は提案されていなかった。
【００１０】
そこで、本発明は上記課題に鑑みて発明されたものであって、その目的は汎用性のある方法で、データ放送受信機に接続された外部機器に制御データを送出する技術を提供することにある。
【００１１】
また、本発明の目的は、秒単位のスケジュールで放送される番組に連動させて外部機器を制御する制御の技術を提供することにある。
【課題を解決するための手段】
【００１２】
上記本発明の目的を達成する第１の発明は、データ放送を利用した外部機器の制御システムであって、データ放送を送信する放送局と、前記データ放送を受信するデータ放送受信機と、前記データ放送受信機と接続された外部機器とを有し、前記放送局は、前記外部機器の制御データと、前記制御データを所定のアドレスを持つ前記外部機器に送出する為のコンテンツとをデータ放送を用いて送信する手段を有し、前記データ放送受信機は、前記外部機器のアドレスが格納された記憶手段と、受信したデータ放送の前記コンテンツに基づいて、記憶されているアドレスに対応する外部機器に制御データを送信する手段とを有し、前記外部機器は、前記制御データに基づいて動作する手段を有することを特徴とする。
【００１３】
上記本発明の目的を達成する第２の発明は、上記第１の発明において、前記コンテンツが、前記外部機器に制御データを送出する関数であることを特徴とする。
【００１４】
上記本発明の目的を達成する第３の発明は、上記第１の発明において、前記コンテンツが、前記外部機器に制御データを送出するタグであることを特徴とする。
【００１５】
上記本発明の目的を達成する第４の発明は、上記第１から第３のいずれかの発明において、前記制御データは、データ放送受信機で取得された基準時刻を外部機器に送出する命令と、前記基準時刻からの相対時刻及びこの相対時刻における前記外部機器の動作制御データとから成り、前記外部機器は、前記データ放送受信機から送出された基準時刻に内部時計の時刻を一致させ、前記基準時刻に一致した内部時計の時刻からのカウント時刻が前記制御データに記載された相対時刻になると、その時刻に対応する動作制御データに基づいて動作することを特徴とする。
【００１６】
上記本発明の目的を達成する第５の発明は、上記第１から第４２のいずれかの発明において、前記制御データが、番組の内容と外部機器の動作とを同期させるデータであることを特徴とする。
【００１７】
上記本発明の目的を達成する第６の発明は、上記第１から第５のいずれかの発明において、前記データ放送受信機は、一定時間ごとに前記外部機器に対して、前記制御データに関連する番組を受信していることを示す確認信号を送出する手段を有し、前記外部機器は、前記確認信号が一定時間検出されなくなると、前記制御データに基づく動作を中止する手段を有することを特徴とする。
【００１８】
上記本発明の目的を達成する第７の発明は、上記第１から第５のいずれかの発明において、前記外部機器は、一定時間ごとにデータ放送受信機に対して、制御データに基づく動作の継続を示す動作継続信号を送出する手段と、前記動作継続信号に対する応答信号が検出されなくなると、前記制御データに基づく動作を中止する手段とを有し、前記データ放送受信機は、前記制御データに関連する番組を受信している場合には、前記動作継続信号に対する応答信号を前記外部機器に送出する手段を有することを特徴とする。
【００１９】
上記本発明の目的を達成する第８の発明は、上記第１から第５のいずれかの発明において、前記データ放送受信機は、番組の変更が行われると、動作の中止を要求する動作中止信号を前記外部機器に送出する手段と、前記外部機器は、前記動作中止信号を受信すると、前記制御データに基づく動作を中止する手段を有することを特徴とする。
【００２０】
上記本発明の目的を達成する第９の発明は、上記第１から第８のいずれかの発明において、前記外部機器は、香り発生装置であることを特徴とする。
【００２１】
上記本発明の目的を達成する第１０の発明は、データ放送を受信するデータ放送受信機と接続された外部機器を制御する制御データを送信する放送局であって、外部機器の制御データと、前記制御データを所定のアドレスを持つ前記外部機器に送出する為のコンテンツとを、データ放送を用いて送信する手段を有することを特徴とする。
【００２２】
上記本発明の目的を達成する第１１の発明は、上記第１０の発明において、前記コンテンツが、前記外部機器に制御データを送出する関数であることを特徴とする。
【００２３】
上記本発明の目的を達成する第１２の発明は、上記第１０の発明において、前記コンテンツが、前記外部機器に制御データを送出するタグであることを特徴とする。
【００２４】
上記本発明の目的を達成する第１３の発明は、上記第１０から第１２のいずれかの発明において、前記制御データは、データ放送受信機で基準時刻を取得させ、この取得した基準時刻を外部機器に送出する命令と、前記基準時刻からの相対時刻及びこの相対時刻における前記外部機器の動作制御データとから成ることを特徴とする。
【００２５】
上記本発明の目的を達成する第１４の発明は、上記第１０から第１３のいずれかの発明において、前記制御データが、番組の内容と外部機器の動作とを同期させるデータであることを特徴とする。
【００２６】
上記本発明の目的を達成する第１５の発明は、データ放送を利用してデータ放送受信機に送出され、前記データ放送受信機と接続された外部機器を制御するプログラムであって、前記プログラムは、前記データ放送受信機に、前記データ放送受信機が記憶している外部機器のアドレスを読み出し、このアドレスに対して、データ放送で受信した前記外部機器の制御データを送出する処理を実行させることを特徴とする。
【００２７】
上記本発明の目的を達成する第１６の発明は、上記第１５の発明において、前記制御データは、データ放送受信機で基準時刻を取得させ、この取得した基準時刻を外部機器に送出する命令と、前記基準時刻からの相対時刻及びこの相対時刻における前記外部機器の動作制御データとを含むことを特徴とする。
【００２８】
上記本発明の目的を達成する第１７の発明は、上記第１５又は第１６の発明において、前記プログラムは、前記データ放送受信機に、一定時間ごとに前記外部機器に対して、前記制御データに関連する番組を受信していることを示す確認信号を送出する処理を実行させることを特徴とする。
【００２９】
上記本発明の目的を達成する第１８の発明は、上記第１５又は第１６の発明において、前記プログラムは、前記データ放送受信機に、一定時間ごとに外部機器から送信されてくる制御動作継続信号に対して、前記制御データに関連する番組を受信している場合には、応答信号を前記外部機器に送出する処理を実行させることを特徴とする。
【００３０】
上記本発明の目的を達成する第１９の発明は、上記第１５又は第１６の発明において、前記プログラムは、前記データ放送受信機に、番組の変更が行われると、動作の中止を要求する動作中止信号を前記外部機器に送出する処理を実行させることを特徴とする。
【００３１】
上記本発明の目的を達成する第２０の発明は、データ放送のデータ放送受信機であって、接続されている外部機器のアドレスが格納される記憶手段と、前記外部機器の制御データと、前記制御データを所定のアドレスを持つ前記外部機器に送出する為のコンテンツとを含むデータ放送を受信する手段と、受信したデータ放送の前記コンテンツに基づいて、記憶されているアドレスに対応する外部機器に前記制御データを送信する手段とを有することを特徴とする。
【００３２】
上記本発明の目的を達成する第２１の発明は、上記第２０の発明において、前記コンテンツが、前記外部機器に制御データを送出する関数であることを特徴とする。
【００３３】
上記本発明の目的を達成する第２２の発明は、上記第２０の発明において、前記コンテンツが、前記外部機器に制御データを送出するタグであることを特徴とする。
【００３４】
上記本発明の目的を達成する第２３の発明は、上記第２０から第２２のいずれかの発明において、一定時間ごとに前記外部機器に対して、前記制御データに関連する番組を受信していることを示す確認信号を送出する手段を有することを特徴とする。
【００３５】
上記本発明の目的を達成する第２４の発明は、上記第２０から第２２のいずれかの発明において、一定時間ごとに外部機器から送信されてくる制御動作継続信号に対して、前記制御データに関連する番組を受信している場合には、応答信号を送出する手段を有することを特徴とする。
【００３６】
上記本発明の目的を達成する第２５の発明は、上記第２０から第２２のいずれかの発明において、番組の変更が行われると、動作の中止を要求する動作中止信号を前記外部機器に送出する手段を有することを特徴とする。
【００３７】
上記本発明の目的を達成する第２６の発明は、データ放送受信機に接続される外部機器であって、データ放送受信機より、基準時刻と、前記基準時刻からの相対時刻及びこの相対時刻における前記外部機器の制御データとを受信する手段と、前記基準時刻に内部時計の時刻を一致させ、基準時刻に一致した内部時計の時刻からのカウント時刻が前記制御データに記載された相対時刻になると、その時刻に対応する動作制御データに基づいて動作する手段とを有することを特徴とする。
【００３８】
上記本発明の目的を達成する第２７の発明は、上記第２５の発明において、データ放送受信機から送出される、前記制御データに関連する番組を受信していることを示す確認信号を検出する手段と、前記確認信号が一定時間検出されない場合、前記制御データに基づく動作を中止する手段とを有することを特徴とする。
【００３９】
上記本発明の目的を達成する第２８の発明は、上記第２５の発明において、一定時間ごとにデータ放送受信機に対して制御データに基づく動作の継続を示す動作継続信号を送出する手段と、前記動作継続信号に対するデータ放送受信機からの応答信号が検出されなくなると、前記制御データに基づく動作を中止する手段とを有することを特徴とする。
【００４０】
上記本発明の目的を達成する第２９の発明は、上記第２５の発明において、前記データ放送受信機からの動作の中止を要求する動作中止信号を受信し、前記制御データに基づく動作を中止する手段を有することを特徴とする。
【００４１】
上記本発明の目的を達成する第３０の発明は、上記第２５から第２９のいずれかの発明において、前記外部機器が、香り発生装置であることを特徴とする。
【００４２】
上記本発明の目的を達成する第３１の発明は、データ放送を利用した外部機器の制御方法であって、放送局から、データ放送受信機に接続されている外部機器の制御データと、前記制御データを前記外部機器のアドレスに送出する為のコンテンツとをデータ放送を用いて送信し、データ放送受信機は、受信したデータ放送の前記コンテンツに基づいて、記憶されているアドレスに対応する外部機器に制御データを送信し、外部機器は、前記制御データに基づいて動作することを特徴とする。
【００４３】
上記本発明の目的を達成する第３２の発明は、上記第３１の発明において、前記コンテンツが、前記外部機器に制御データを送出する関数であることを特徴とする。
【００４４】
上記本発明の目的を達成する第３３の発明は、上記第３１の発明において、前記コンテンツは、前記外部機器に制御データを送出するタグであることを特徴とする。
【００４５】
上記本発明の目的を達成する第３４の発明は、上記第３１から第３３のいずれかの発明において、前記制御データは、データ放送受信機で取得された基準時刻を外部機器に送出する命令と、前記基準時刻からの相対時刻及びこの相対時刻における前記外部機器の動作制御データとから成り、前記外部機器は、前記データ放送受信機から送出された基準時刻に内部時計の時刻を一致させ、前記基準時刻に一致した内部時計の時刻からのカウント時刻が前記制御データに記載された相対時刻になると、その時刻に対応する動作制御データに基づいて動作することを特徴とする。
【００４６】
上記本発明の目的を達成する第３５の発明は、データ放送を利用した外部機器の制御システムであって、データ放送を送信する放送局と、前記データ放送を受信するデータ放送受信機と、前記データ放送受信機と接続された外部機器とを有し、前記放送局は、前記外部機器の制御データが記載されたイベントメッセージと、前記制御データを所定のアドレスを持つ前記外部機器に送出する為の関数とをデータ放送を用いて送信する手段を有し、前記データ放送受信機は、前記外部機器のアドレスが格納された記憶手段と、イベントメッセージを受信すると、前記イベントメッセージに記載された制御データを、受信したデータ放送の前記関数に基づいて、記憶されているアドレスに対応する外部機器に送信する手段とを有し、前記外部機器は、前記制御データに基づいて動作する手段を有することを特徴とする。
【発明の効果】
【００４７】
本発明によれば、データ放送受信機に接続されている外部機器に対して、データ放送を用いて制御データを送出することができる。
【００４８】
また、本発明によれば、秒単位のスケジュールで放送される番組の下でも、番組と連動（同期）させて外部機器を自律動作させることが可能となる。
【００４９】
更に、本発明によれば、チャンネル変更や、受信機の電源のＯＦＦがあった場合でも、外部機器は視聴していた番組と連動した動作を自動的に中止して、不必要な動作が起きないようにすることもできる。
【発明を実施するための最良の形態】
【００５０】
本発明の実施の形態を説明する。
【００５１】
図１は本発明の外部機器の制御システムのブロック図である。
【００５２】
本発明の外部機器の制御システムは、データ放送を行う放送局１と、そのデータ放送を受信するデータ放送受信機２と、このデータ放送受信機２に接続された外部機器３とを有する。
【００５３】
放送局１はデータ放送送出部１１を有しており、このデータ放送送出部１１からプログラム１２がデータ放送で送出される。
【００５４】
プログラム１２は、外部機器３を制御する為の制御データ１３と、この制御データを外部機器３に送出する為の関数１４とを少なくとも含む。尚、プログラム１２は、制御データ１３、関数１４以外にも、番組のコンテンツのプログラム等を含んでも良い。また、関数１４の代わりに、制御データを外部機器に送出するタグであっても良い。
【００５５】
制御データ１３は、外部機器を制御するものであれば種類を問わず、例えば、テキスト形式のデータや、他の言語で記述されたものでも良い。関数１４は、データ放送受信機２に、受信した制御データ１３を外部機器に送出させる処理を行わせるものであれば良く、ネットワークに接続された装置を制御することが出来る関数（スクリプト）であれば良い。例えば、ARIB STD-B24や、TR-B14に規定されたtrasmitTextDataOverIP()、launchDocument()、launchDocumentRestricted()、launchExApp()、printUri()、X_DPA_launchDocWithLink()、X_DPA_startResidentApp()、X_DPA_mailTo()、sendTextMail()、sendMIMEMail()等がある。
【００５６】
データ放送受信機２は、データ放送を受信する受信部２１と、制御部２２と、接続されている外部機器３を特定するアドレスが格納された記憶部２３とを有する。
【００５７】
記憶部２３には、ユーザによる設定又は外部機器の接続によって起動する自動設定等の方法により、外部機器３を特定するアドレスが記憶される。尚、アドレスは、外部機器３を特定できるものであれば良く、例えばIPアドレス等がある。
【００５８】
制御部２２は、受信部２１が受信したプログラム１２の関数１４に基づいて、記憶部２３に記憶されている外部機器３のアドレスに対して制御データ１３を送出する。
【００５９】
外部機器３は、動作制御部３１と、記憶部３２と、動作部３３とを有する。尚、外部機器３は、データ放送受信機２と接続されて動作するものであれば何でも良く、例えば、プリンタ、香り発生装置、光演出装置等である。また、データ放送受信機２への接続も、ネットワークを介して接続されるものに限らず、データ放送受信機２に直接接続されていても良い。
【００６０】
動作制御部３１は、データ放送受信機２から制御データ１３を受信し、これを記憶部３２に格納する。また、制御データ１３により動作部３３を制御し、所定の動作をさせる。
【００６１】
このような構成によると、データ放送受信機に接続されている外部機器に対して、データ放送を用いて制御データを送出することができる。その結果、制御データにより、番組と連動（同期）させて外部機器３を動作させることが可能となる。例えば、番組本編が料理番組、外部機器３が香り発生装置、制御データが香り発生装置を番組本編と同期させる制御データである場合、料理番組のシーンに同期して、適切な香りを発生させることができる。
【００６２】
尚、上記説明では、外部機器３に制御データを送出するものとして関数１４を用いたが、外部機器３に制御データを送出することができるタグであっても良い。タグの例としては、例えば、aやimg、object要素等のhref属性や、input要素のsubmit等である。
【００６３】
尚、番組と連動させて外部機器を制御する場合、視聴者のチャンネル変更や、データ放送受信機の電源断等により、外部機器の動作を中止する方が良い場合がある。この場合、図２に示す如く、データ放送受信機２が所定の番組を視聴継続していることを確認しあう確認・応答信号を、データ放送受信機２と外部機器３との間で送受信しあい、視聴が中断、終了した場合には、外部機器３の制御部３１の制御により、制御データ１３に基づく外部機器３の動作を中止する。
【００６４】
以下、本発明を適用した具体的な実施例を説明する。
【実施例１】
【００６５】
本発明の実施例１を説明する。
【００６６】
実施例１では、上述した実施の形態の具体例として、外部機器３を香り発生装置４０とし、この香り発生装置４０を番組と連動させる例を説明する。尚、上述した実施の形態と同様なものについては同じ符号を付し、詳細な説明は省略する。
【００６７】
図３は実施例１のブロック図である。
【００６８】
実施例１において、放送局１はデータ放送送出部１１より、プログラム１２を送出する。このプログラム１２は、制御データ１３と関数１４とを含む。ここで、制御データ１３は、基準時刻取得命令１３１と動作制御データ１３２とから成る。また、関数１４は、ARIB STD-B24に規定されたtrasmitTextDataOverIP()を用いるものとする。
【００６９】
基準時刻取得命令１３１は、デジタル放送等で送信されている基準時刻をデータ放送受信機２で取得させ、この取得した基準時刻を香り発生装置４０に送信する命令である。尚、デジタル放送等で送信されている基準時刻の取得は、従来から行われているので詳細な説明は省略する。
【００７０】
動作制御データ１３２は、香り発生装置４０における香りの発生を制御する為のデータであり、テキスト形式のデータである。香り発生装置４０は、通常、複数の香料を、単独又は適時組み合わせて、所定の強度で放出することにより、所定の香りを発生させている。そこで、動作制御データ１３２は、発生させる香料の種別と、その香料を発生させる時刻と、その強度とを対応付けたデータである。動作制御データ１３２の一例を図４に示す。図４では、香料Ａ、香料Ｂ、香料Ｃの３種類の香料と、発生時の強度と、発生時刻とが対応付けられて記載されている。尚、強度は、単位時間に放出される香料の量を示しており、数値が大きくなる程、強い臭いが発生する。また、発生時間は、基準時刻からの相対時刻で記載されている。
【００７１】
ここで、基準時刻と相対時刻との関係について説明する。通常、制御データ１３の送出は、番組開始時刻の直前に行われる。番組開始時刻を基準時刻とみなすと、その基準時刻からの相対時刻は、すなわち番組開始時刻からの相対時刻となる。そこで、番組と連動させて香りを発生させる為には、番組開始から何分後にどの香料を、どの位の強度で発生させるかを示すデータがあれば良い。例えば、図４に示される動作制御データ１３２によれば、番組開始時刻（基準時刻）から５分後から１０分後までの間、香料Ａを強度１０で発生させることを示している。このようなデータを番組開始時から番組終了時まで用意すれば、番組と連動して香りを発生させることができる。
【００７２】
データ受信機２は、受信部２１と、制御部２２と、記憶部２３とを有している。そして、記憶部２３には、接続されている香り発生装置４０のＩＰアドレスやドメイン名（例えば、192.168.1.2やntv.co.jp等のドメイン名）が記憶されている。また、制御部２２は、受信した制御データ１３の基準時刻取得命令１３１に基づいて、受信している放送から基準時刻を取得し、この基準時刻と動作制御データ１３２とを、関数１４（trasmitTextDataOverIP()）により、記憶されているＩＰアドレス（192.168.1.2）の香り発生装置４０に送出する。
【００７３】
香り発生装置４０は、香り発生制御部４１と、記憶部４２と、香り発生部４３、内部時計４４とを有する。香り発生制御部４１は、内部時計４４の時刻を、データ放送受信機２から送信された基準時刻に設定する。内部時計４４は基準時刻からカウントを開始する。また、香り発生制御部４１は、動作制御データ１３２を記憶部４２に格納し、この動作制御データ１３２に基づいて、香り発生部４３を制御する。
【００７４】
次に、香り発生装置４０の動作を、図４に示される動作制御データ１３２に基づいて説明する。
【００７５】
香り発生制御部４１は、内部時計４４のカウント時刻を逐次計測していき、基準時刻（番組開始時刻）から５分経過すると、香り発生部４３に香料Ａを強度１０で発生させ、基準時刻（番組開始時刻）から１０分後までこの動作を継続させる。続いて、香り発生制御部４１は内部時計４４のカウント時刻を計測していき、基準時刻（番組開始時刻）から１１分経過すると、香り発生部４３に香料Ｂを強度５で発生させ、基準時刻（番組開始時刻）から２０分後までこの動作を継続させる。続いて、香り発生制御部４１は、内部時計４４のカウント時刻を計測していき、基準時刻（番組開始時刻）から３０分経過すると、香り発生部４３に香料Ｃを強度８で発生させ、基準時刻（番組開始時刻）から４０分後までこの動作を継続させる。続いて、香り発生制御部４１は、内部時計４４のカウント時刻を計測していき、基準時刻（番組開始時刻）から４１分経過すると、香り発生部４３に香料Ａを強度５で発生させ、更に香料Ｃを強度１０で発生させ、基準時刻（番組開始時刻）から５０分後までこの動作を継続させる。
【００７６】
このように実施例１では、制御データにより香り発生装置を自律動作させても、香り発生装置を番組本編と同期させて、適切な香りを発生させることができる。
【実施例２】
【００７７】
本発明の実施例２を説明する。
【００７８】
実施例１では、香り発生装置４０を番組と連動させる例を説明した。しかしながら、視聴者は何らかの都合で最後までその番組を視聴し続けるとは限らない。例えば、番組の途中で他のチャンネルに変更したり、受信機の電源をＯＦＦにしたりする場合がある。この場合、実施例１では、番組の途中での他のチャンネルへの変更、若しくは受信機の電源のＯＦＦがあった場合でも、香り発生装置４０は制御データに基づいて自律動作しているので、香り発生装置４０が自動で動作を中止することはできない。そこで、実施例２では、チャンネル変更や、受信機の電源のＯＦＦにでも対応できるよう構成した例を説明する。
【００７９】
図５は実施例２のブロック図である。尚、上述した実施の形態と同様なものについては同じ符号を付し、詳細な説明は省略する。
【００８０】
図５に示される如く、実施例２では、データ放送受信機２にチャンネル変更を検出する状態検出部５０と確認信号出力部５１とを設ける。この状態検出部５０は、チャンネルの変更が検出されると、確認信号出力部５１に検出信号を出力する。
【００８１】
確認信号出力部５１は、状態検出部５０からの検出信号を受信しない間、一定時間（一定間隔）毎に、番組の視聴が継続中であることを示す確認信号を、香り発生装置４０に出力する。
【００８２】
一方、香り発生装置４０は、実施例１の構成に加え、確認信号監視部５２を有する。この確認信号監視部５２は、一定時間（一定間隔）毎に送信されてくる確認信号を監視しており、一定時間（一定間隔）毎に確認信号が受信できなくなると、香り発生制御部４１に動作中止信号を出力する。
【００８３】
香り発生装置４０の香り発生制御部４１は、実施例１の動作に加え、確認信号監視部５２から動作中止信号を受信すると、香り発生の制御を中止する。
【００８４】
このような構成にすることにより、チャンネルの変更があった場合、香り発生装置４０は不必要な動作を中止することができる。尚、データ放送受信機２が電源のＯＦＦとなった場合でも、データ放送受信機２からの確認信号が途絶えるので、チャンネル変更の場合と同様に香り発生装置４０は不必要な動作を中止することができる。
【００８５】
尚、上述した実施例の変形例として、確認信号出力部５１から一定時間毎に確認信号を送らず、状態検出部５０でチャンネルの変更が検出された時のみ確認信号出力部５１から香り発生装置４０に動作中止信号を出力し、香り発生装置４０の確認信号監視部５２が動作中止信号を検出すると、香り発生の動作を中止するような構成にすることもできる。この場合、電源ＯＦＦには対応することはできないが、全体の構成を比較的簡易にすることができる。
【実施例３】
【００８６】
実施例３を説明する。
【００８７】
実施例２では、データ放送受信機２より、一定時間毎に確認信号を香り発生装置４０に出力し、確認信号が出力されなくなると、香り発生装置４０は動作を中止する構成を説明した。実施例３では、香り発生装置４０から一定時間毎に、データ放送受信機に、動作が継続していることを示す継続信号を出力する例を説明する。
【００８８】
図６は実施例３のブロック図である。
【００８９】
図６に示される如く、実施例３では、香り発生装置４０に、動作を継続実行している間、一定時間毎に、動作が継続していることを示す継続信号をデータ放送受信機２へ出力する継続信号出力部６０を設ける。また、データ放送受信機２には、状態検出部５０からの検出信号がない場合（チャンネルが変更されていない）、香り発生装置４０からの継続信号に応答する応答信号を、香り発生装置４０に送出する応答信号出力部６１を設ける。
【００９０】
このような構成において、香り発生装置４０の継続信号出力部６０は定期的に継続信号を、データ放送受信機２に出力する。データ放送受信機２の応答信号出力部６１は、継続信号に応答し、状態検出部５０からの検出信号がない場合、応答信号を香り発生装置４０に出力する。香り発生装置４０の継続信号出力部６０は、継続信号に応答して送信されてくる応答信号を監視しており、応答信号が受信できなくなると、香り発生制御部４１に動作中止信号を出力する。
【００９１】
香り発生装置４０の香り発生制御部４１は、実施例１の動作に加え、継続信号出力部６０から動作中止信号を受信すると、香り発生の制御を中止する。
【００９２】
このような構成にすることにより、チャンネルの変更があった場合、香り発生装置４０では不必要な動作を中止することができる。尚、電源のＯＦＦがあった場合でも、データ放送受信機２からの応答信号が途絶えるので、チャンネル変更の場合と同様に香り発生装置４０は不必要な動作を中止することができる。
【実施例４】
【００９３】
上述した説明からも明らかなように、本発明をハードウェアで構成することも可能であるが、コンピュータプログラムにより実現することも可能である。実施例４では、コンピュータプログラムにより実現する例を説明する。
【００９４】
図７は実施例４のブロック図である。
【００９５】
図７に示される如く、データ放送受信機は、プロセッサ７０、プログラムメモリ７１、記憶媒体７２からなる。
【００９６】
プログラムメモリ７１には、上述したデータ放送受信機の制御部２２、状態検出部５０、応答信号出力部６１の一部又は全部の動作をプロセッサ７０に行わせるプログラムが格納される。このプログラムは、データ放送のプログラム１２の一部に含めてデータ放送から取得しても良いし、他の手段、例えば、インターネット等のコンテンツプロバイダーから入手しても良い。
【００９７】
記憶媒体７２は、アドレス等が記憶される記憶部２３の役割を果たし、ハードディスク等の磁気記憶媒体や、ＲＡＭ等を用いることができる。
【００９８】
プロセッサ７０は、プログラムメモリ７１に基づいて、上述した実施例における制御部２２、状態検出部５０、確認信号出力部５１、応答信号出力部６１と同様な処理をおこなう。
【００９９】
尚、香り発生装置４０も同様に、香り発生制御部４１、確認信号監視部５２、継続信号出力部６０の一部又は全部の動作をプログラムにより、動作させることも可能である。
【実施例５】
【０１００】
本発明の実施例５を説明する。
【０１０１】
上述した実施例では、外部機器を制御するデータをプログラムに含めて送信する例を説明したが、実施例５では、制御データをデータ放送のイベントメッセージに記載して送出し、この制御データに基づいて外部機器を制御する例を説明する。
【０１０２】
図８は実施例５のブロック図である。尚、上述した実施例と同様なものについては同じ符号を付し、詳細な説明は省略する。
【０１０３】
上述した実施例と異なる点は、データ放送送出部１１より送出されるプログラム１２には、制御データ１３２を含めず、制御データ１３２はイベントメッセージ８０に記載して送出する点が異なる。尚、プログラム１２には、制御データを香り発生装置４０に送出する関数１４は含まれ、この関数１４はARIB STD-B24に規定されたtrasmitTextDataOverIP()を用いるものとする。
【０１０４】
制御データ１３２は、イベントメッセージ８０のプライベートデータ領域に記載され、その内容は香り発生装置４０の香り発生の開始命令、又は香り発生の中止命令、香料種別、香り発生の強度等である。これらの制御データが記載されたイベントメッセージ８０がデータ放送受信機２に受信されると、制御データ１３２は、関数trasmitTextDataOverIP()により、記憶部２３に記憶されているIPアドレスの香り発生装置４０に送出される。
【０１０５】
具体的な動作を説明すると、例えば、イベントメッセージ８０のプライベートデータ領域に記載された制御データ１３２が制御データ（開始，香料Ａ，８）である場合、データ放送受信機２からは制御データ（開始，香料Ａ，８）が香り発生装置４０に送出される。そして、この制御データに基づき、香り発生装置４０では、香料Ａを強度８で発生させる。
【０１０６】
また、イベントメッセージ８０のプライベートデータ領域に記載された制御データ１３２が制御データ（中止，香料Ａ）である場合、データ放送受信機２からは制御データ（中止，香料Ａ）が香り発生装置４０に送出される。そして、この制御データに基づき、香り発生装置４０では、香料Ａの発生を中止する。
【０１０７】
本実施例の利点は、上述した実施例のように、基本時刻等を監視する必要がなく、放送局側の主導で香り発生装置等の外部機器を制御できる点にある。
【０１０８】
尚、本実施例に上述した実施例２、３を組み合わせて、チャンネルの変更や、データ放送受信機の電源断等に対しても適用できるように構成しても良い。
【実施例６】
【０１０９】
本発明の実施例６を説明する。
【０１１０】
上述した実施例では、外部機器を制御するデータを関数や、イベントメッセージで送信する例を説明したが、実施例６では、制御データをデータ放送のコンテンツの記述であるタグにより外部機器に送出する例を説明する。
【０１１１】
図９は実施例６のブロック図である。尚、上述した実施例と同様なものについては同じ符号を付し、詳細な説明は省略する。
【０１１２】
上述した実施例と異なる点は、データ放送送出部１１より送出されるプログラム１２には、制御データを含めたＵＲＩがタグで記載されている。図１０にタグで記載されたＵＲＩの一例を示す。
【０１１３】
図１０では、a要素のhref属性を用いた例を示しており、<a href="http://192.168.1.2/cgi-bin/kaori/form/get.cgi?koryo=%8D%81%97%BFA&power=10&time=5-10&submit=%8D%81%82%E8%83f%81%5B%83%5E%91%97%90M">のうち、”%8D%81%97%BFA&power=10&time=5-10&submit=%8D%81%82%E8%83f%81%5B%83%5E%91%97%90M”が制御データとなる。このプログラム１２がデータ放送受信機２に受信されると、図１１のような画面が表示され、ユーザのクリックにより、IPアドレス”192.168.1.2”の香り発生装置４０に、”http://192.168.1.2/cgi-bin/kaori/form/get.cgi?koryo=%8D%81%97%BFA&power=10&time=5-10&submit=%8D%81%82%E8%83f%81%5B%83%5E%91%97%90M”が送信される。
【０１１４】
香り発生装置４０では、香り制御部４１によりスクリプト等の手段を用いて、制御データである”%8D%81%97%BFA&power=10&time=5-10&submit=%8D%81%82%E8%83f%81%5B%83%5E%91%97%90M”が取り出される。
【０１１５】
同様に、図１２は、input要素のsubmitを用いた例を示したものである。
【０１１６】
本実施例の利点は、データ放送受信機２の画面に制御データの送信を確認させる画面を表示させたりすることができることである。
【０１１７】
尚、本実施例に上述した実施例２、３を組み合わせて、チャンネルの変更や、データ放送受信機の電源断等に対しても適用できるように構成しても良い。
【図面の簡単な説明】
【０１１８】
【図１】図１は本発明の実施の形態における外部機器の制御システムのブロック図である。
【図２】図２は本発明の他の実施の形態における外部機器の制御システムのブロック図である。
【図３】図３は実施例１のブロック図である。
【図４】図４は動作制御データ１３２の一例を示す図である。
【図５】図５は実施例２のブロック図である。
【図６】図６は実施例３のブロック図である。
【図７】図７は実施例４のブロック図である。
【図８】図８は実施例５のブロック図である。
【図９】図９は実施例６のブロック図である。
【図１０】図１０にタグで記載されたＵＲＩの一例を示す図である。
【図１１】図１１はデータ放送受信機に表示される画面例である。
【図１２】図１２にタグで記載されたＵＲＩの一例を示す図である。
【符号の説明】
【０１１９】
１      放送局
２      データ放送受信機
３      外部機器
１１    データ放送送出部
１２    プログラム
１３    制御データ
１４    関数
２１    受信部
２２    制御部
２３    記憶部
３１    動作制御部
３２    記憶部
３３    動作部
４０    香り発生装置
５０    状態検出部
５１    確認信号出力部
５２    確認信号監視部
６０    継続信号出力部
６１    応答信号出力部
７０    プロセッサ
７１    プログラムメモリ
７２    記憶媒体
８０    イベントメッセージ
１３１  基準時刻取得命令
１３２  動作制御データ
【図１】
2007006352.tif 000003
【図２】
2007006352.tif 000004
【図３】
2007006352.tif 000005
【図４】
2007006352.tif 000006
【図５】
2007006352.tif 000007
【図６】
2007006352.tif 000008
【図７】
2007006352.tif 000009
【図８】
2007006352.tif 000010
【図９】
2007006352.tif 000011
【図１０】
2007006352.tif 000012
【図１１】
2007006352.tif 000013
【図１２】
2007006352.tif 000014